(57)【特許請求の範囲】
【請求項１】
利用者の識別情報を送信する識別情報送信手段と、
部屋の内外の双方又はいずれか一方に設けられ、前記識別情報送信手段から送信される識別情報を受信する識別情報受信手段と、
前記部屋のドアのドアロックの施錠／解錠を行なうドアロック施解錠手段と、
前記部屋のドアの開閉状態を検出するドア開閉状態検出手段と、
一定時間を計時する計時手段と、
前記識別情報受信手段にて識別情報が受信された時点で、その識別情報が予め登録されたものであるか否かを判定する判定手段と、
前記判定手段により登録されたものであると判定すると、前記計時手段により一定時間の計時を開始させるとともに、前記ドアロック施解錠手段を制御してドアロックを解錠し、前記識別情報が受信された時点から一定時間以内に前記ドア開閉状態検出手段にてドアが開状態になったことが検出された場合には入室情報を出力し、前記一定時間以内にドアが開状態になったことが検出されなかった場合には前記ドアロック施解錠手段を制御してドアロックを施錠するとともに通過情報を出力するように制御し、前記判定手段により受信された識別情報が登録されていないものであると判定した場合は通過情報のみを出力するように制御する制御手段と、
を備えたことを特徴とする入出退管理システム。
【請求項２】
前記制御手段から出力される入室情報、通過情報の取り込んで入室及び通過の履歴をとるとともに履歴の参照及び検索を可能とする監視手段を更に備えたことを特徴とする請求項１記載の入出退管理システム。
【請求項３】
前記部屋のドア近傍に設けられ、人体を検知する人体検知手段を更に備え、
前記制御手段は、前記判定手段により登録されたものであると判定され、且つ前記人体検出手段にて人体の検知が行なわれた時点で前記ドアロック施解錠手段を制御してドアロックを解錠し、更に識別情報が受信された時点から一定時間以内に前記ドア開閉状態検出手段にてドアが開状態になったことが検出された場合には入室情報を出力し、前記一定時間以内にドアが開状態になったことが検出されなかった場合には前記ドアロック施解錠手段を制御してドアロックを施錠するとともに通過情報を出力することを特徴とする請求項１乃至２のいずれかに記載の入出退管理システム。
【発明の詳細な説明】
【０００１】
【発明の属する技術分野】
本発明は、入出退管理システムに係わり、特に非接触式のカードを用いた入出退管理システムに関する。
【０００２】
【従来の技術】
従来、この種の入出退管理システムとして、例えば特開平３−２３５０８１号公報や特開平３−２２８９８８号公報に開示されたものがある。
前者は、非接触式のカードを所持した者がドア近傍に設置したＩＤ読取装置に接近することにより、カード内の共振回路がＩＤ読取装置からの送信電波に共振して共振エコーを発信し、その共振エコーをＩＤ読取装置が認識することでドアロックを解錠するようにしたものである。
後者も前者と略同様に、非接触式のカードからの送信電波をＩＤ読取装置が受信し、その電波に含まれる識別情報（個人情報又はＩＤ情報）が予め記録している情報と一致する場合にドアロックを解錠するようにしたものである。
【０００３】
【発明が解決しようとする課題】
ところで、上述した従来の入出退管理システムにあっては、次のような問題点があった。
（イ）ＩＤ読取装置からの送信電波が建物の金属建材に吸収されてしまうことと、ＩＤ読取装置からある程度離れた所からでもドアロックの解錠ができるようにするためにＩＤ読取装置の送信電波の届く範囲を広くする傾向にあるが、その範囲を広くすることで入室する予定がなく単に通過するだけの者も入室したような履歴になってしまうので、通過か入室かを判別することが困難であった。
（ロ）通過する場合でもその部屋に入室が許可されている人がＩＤ読取装置の送信電波の届く範囲に入ればドアロックが解錠し、その状態が所定時間継続することからセキュリティ性が十分に確保されていなかった。
【０００４】
（ハ）ドアロックの解錠とともに監視装置に入室情報を送るので、監視装置は検知範囲を通過した者が部屋にいるものと判断してしまい、その者を呼び出すようなことがあった場合に、その者が部屋にいないにも拘らず呼び出しを行なってしまうことがあった。
（ニ）銀行等の重要施設では、入室情報の記録や記録した情報の表示及び検索だけでは下見等の徘徊が分らず、内部犯罪等を未然に防止することが難しかった。
【０００５】
そこで本発明は、入室か否かを正確に判別することができるとともに通過履歴をとることで内部犯罪等を未然に防止することができる入出退管理システムを提供することを目的とする。
【０００６】
【課題を解決するための手段】
以下、本発明の考え方について説明する。
本発明は、ＩＤ読取装置が非接触式のカードからの送信電波を受信した時点でドアロックを解錠し、更にその時点から一定時間以内に実際にドアが開けられたか否かを判定し、一定時間以内で開けられないと判断するとドアロックを施錠するとともに通過情報を監視装置に送り、一定時間以内で開けられたと判断すると入室情報を監視装置へ送るようにしたものである。
【０００７】
したがって、カードを所持した者を検知した時点から一定時間以内に実際にドアが開けられれば入室情報を出力し、一定時間以内にドアが開けられなければドアロックを施錠するとともに通過情報を出力するので、通過したのか入室したのかを正確に判別することができる。
また、通過履歴がとれるので、呼び出したい者の所在を確認することができ、また下見等の徘徊の見当もつくことから内部犯罪等を未然に防止することが可能になる。
【０００８】
更に、本発明は、ＩＤ読取装置にてカードを所持した者を検知し、更にドア近傍に設けた人体検知手段（ＩＤ読取装置の送受信電波の届く範囲よりも小さい検知エリアを持つ）にてその者を検知すると、その時点で初めてドアロックを解錠する。更にＩＤ読取装置にてその者を検知したときから一定時間以内にドアが開けられるか否かを判定し、開けられないと判断するとドアロックを施錠するとともに通過情報を出力し、一定時間以内でドアが開けられたと判断すると入室情報を出力するようにした。
したがって、本当に入室する者と通過する者の識別精度が向上するとともにドアロックが解錠されている期間を短くすることができるからセキュリティ性が高まる。
なお、人体検出手段としては、フットスイッチ、遠赤外線検出素子、ＩＤ読取装置よりも送信出力が小さいＩＤ読取装置等の使用が好適である。
【０００９】
上記考えによる請求項１記載の発明による入出退管理システムは、利用者の識別情報を送信する識別情報送信手段と、部屋の内外の双方又はいずれか一方に設けられ、前記識別情報送信手段から送信される識別情報を受信する識別情報受信手段と、前記部屋のドアのドアロックの施錠／解錠を行なうドアロック施解錠手段と、前記部屋のドアの開閉状態を検出するドア開閉状態検出手段と、一定時間を計時する計時手段と、前記識別情報受信手段にて識別情報が受信された時点で、その識別情報が予め登録されたものであるか否かを判定する判定手段と、前記判定手段により登録されたものであると判定すると、前記計時手段により一定時間の計時を開始させるとともに、前記ドアロック施解錠手段を制御してドアロックを解錠し、前記識別情報が受信された時点から一定時間以内に前記ドア開閉状態検出手段にてドアが開状態になったことが検出された場合には入室情報を出力し、前記一定時間以内にドアが開状態になったことが検出されなかった場合には前記ドアロック施解錠手段を制御してドアロックを施錠するとともに通過情報を出力するように制御し、前記判定手段により受信された識別情報が登録されていないものであると判定した場合は通過情報のみを出力するように制御する制御手段とを備えるものである。
【００１０】
請求項２記載の発明による入出退管理システムは、前記制御手段から出力される入室情報、通過情報の取り込んで入室及び通過の履歴をとるとともに履歴の参照及び検索を可能とする監視手段を更に備えるものである。
【００１１】
請求項３記載の発明による入出退管理システムは、前記部屋のドア近傍に設けられ、人体を検知する人体検知手段を更に備え、
前記制御手段は、前記判定手段により登録されたものであると判定され、且つ前記人体検出手段にて人体の検知が行なわれた時点で前記ドアロック施解錠手段を制御してドアロックを解錠し、更に識別情報が受信された時点から一定時間以内に前記ドア開閉状態検出手段にてドアが開状態になったことが検出された場合には入室情報を出力し、前記一定時間以内にドアが開状態になったことが検出されなかった場合には前記ドアロック施解錠手段を制御してドアロックを施錠するとともに通過情報を出力するものである。
【００１２】
【発明の実施の形態】
以下、本発明の実施の形態を、図面例と共に説明する。
（I）実施の形態１
Ａ．入出退管理システムの全体構成
図１は本発明に係る入出退管理システムの実施の形態１の全体構成を示すブロック図である。
【００１３】
この図において、入出退管理システム１０は、各部屋のドアロック制御対象のドア１１に対して設けられた制御盤１２と、非接触式のカード１３と、このカード１３に記憶されている識別情報（個人情報またはＩＤ情報）の読み取りを行なうＩＤ読取装置１４と、伝送路１５を介して各制御盤１２と接続され、各制御盤１２から出力される入室情報、通過情報等の各種情報を取り込んで入室及び通過の履歴をとるとともに履歴の参照及び検索を可能とした監視装置１６とから構成されている。
【００１４】
各ドア１１には、ドアロックの解錠／施錠を行なう電気錠２０が設けられている。ここで、図３は電気錠２０の概略構成を示す図である。この図において、電気錠２０にはドア１１の開閉状態を検出するためのリードスイッチ２１が設けられている。このリードスイッチ２１は、電気錠２０の室内側に設けられた接点２１ａとドア１１側に設けられた永久磁石２１ｂとから構成されており、ドア１１が閉状態となると接点２１ａが閉状態になり、ドア１１が開状態となると接点２１ａが開状態になるものである。
【００１５】
また、この電気錠２０には、図４の回路図に示すように施錠／解錠制御用のソレノイド２２と、施錠／解錠状態検出用のマイクロスイッチ２３とが設けられている。ソレノイド２２に通電することによりデッドボルト２４（図３参照）が突出した状態から収納された状態又はその逆の状態に設定される。また、ソレノイド２２に通電する毎にマイクロスイッチ２３の設定状態が交互に切り替わるようになっている。例えばドアロックが解錠状態のときには図４に示す設定状態になり、ドアロックが施錠状態のときにはその逆の設定状態になる。
【００１６】
図１に戻り、制御盤１２は、ＩＤ読取装置１４にて読み取られたカード１３の識別情報を取り込み、その識別情報が予め登録されたものであるか否かを判定し、登録されたものであると判断すると、内蔵されたタイマをスタートさせて一定時間計時するとともに、識別情報を読み取ったＩＤ読取装置１４に対応するドア１１の電気錠２０のソレノイド２２に通電を行ない、ドアロックを解錠状態にする。
【００１７】
ソレノイド２２に通電を行なった直後は、マイクロスイッチ２３の設定状態を読み込み、ドアロックの施錠状態又は解錠状態を確認する。この確認を行なった後、電気錠２０のリードスイッチ２１の接点２１ａの状態を読み込み、その接点２１ａが一定時間以内に開状態になるか否かを判定し、一定時間以内に開状態にならないと判断すると電気錠２０のソレノイド２２に対して通電を行ない、ドアロックを施錠状態にする。
【００１８】
これに対して、一定時間以内にリードスイッチ２１の接点２１ａが開状態になったと判断すると、入室情報を自身のＩＤコードとともに監視装置１６に送り、更にタイマをリセットする。タイマをリセットした後、再びリードスイッチ２１の接点２１ａの状態を読み込み、閉状態になったと判断すると電気錠２０のソレノイド２２の通電を行ない、ドアロックを施錠状態にする。リードスイッチ２１の接点２１ａが閉状態になっていないと判断すると警報を出力するとともに監視装置１６に対してその旨を知らせる情報を出力する。
【００１９】
非接触式のカード１３は、ＩＤ読取装置１４からの送信電波による誘導電磁界によって誘起する起電力により動作電源を作り、その電源により動作して予めメモリに記憶している識別情報を送信する。ＩＤ読取装置１４はカード１３を動作させるための電波を送信するとともにカード１３から送信される識別情報を受信して制御盤１２へ出力する。
【００２０】
Ｂ．制御盤１２、カード１３及びＩＤ読取装置１４の構成
図２は制御盤１２、カード１３及びＩＤ読取装置１４の構成を示すブロック図である。
（ａ）カード１３の構成
カード１３には、送受信アンテナ３０、カード電源部３１、変復調部３２、制御部３３、Ｅ2ＰＲＯＭ３４及びＩ／Ｏ変換部３５が設けられている。送受信アンテナ３０は電波の送受信に使用される。カード電源部３１は送受信アンテナ３０にて受信されたＦＳＫ（周波数シフトキーイング）信号を整流して、各部を動作させる電源電圧を作り出す。
【００２１】
変復調部３２は、送受信アンテナ３０にて受信されたＦＳＫ信号から直列データを復調するとともに、Ｅ2ＰＲＯＭ３４から読み出されたデータ（識別情報）をＦＳＫ信号に変調する。Ｉ／Ｏ変換部３５は、変復調部３２からの直列データを並列データに変換して制御部３３に出力するとともに、制御部３３からの並列データを直列データに変換して変復調部３２に出力する。制御部３３は、データ変換された受信信号からコマンドを解読し、Ｅ2ＰＲＯＭ３４に対するデータの書き込みまたは読み出しを行なう。この場合、カード１３には少なくとも利用者の識別情報を書き込むことから、通常の使用におけるコマンドはリードコマンドであり、このリードコマンドに基づいてＥ2ＰＲＯＭ３４から識別情報の読み出しが行なわれる。
【００２２】
（ｂ）ＩＤ読取装置１４の構成
ＩＤ読取装置１４には、送受信アンテナ３７、増幅・検波部３８、Ｉ／Ｏ変換部３９、４０、変調部４１、発振部４２及び電力増幅部４３が設けられている。送受信アンテナ３７は電波の送受信に使用される。増幅・検波部３８は、送受信アンテナ３０にて受信されたＦＳＫ信号を増幅して直列データを復調する。Ｉ／Ｏ変換部３９は、増幅・検波部３８からの直列データを並列データに変換して制御盤１２へ出力する。Ｉ／Ｏ変換部４０は、制御盤１２からの並列データを直列データに変換して変調部４１に出力する。
【００２３】
変調部４１は、Ｉ／Ｏ変換部４０からの直列データを発振部４２からの周波数ｆ１、ｆ２の２つの信号に基づいてＦＳＫ変調し、電力増幅部４３に出力する。この場合、変調部４１はデータビット「０」に対して周波数ｆ１の信号を、データビット「１」に対して周波数ｆ２の信号をそれぞれ定めており、データビット毎に周波数ｆ１、ｆ２の信号に変換するＦＳＫ変調を行なう。電力増幅部４３は変調部４１からのＦＳＫ信号を電力増幅して送受信アンテナ３７に出力する。電力増幅部４３にて使用される電源電圧は制御盤１２より供給される。
【００２４】
（ｃ）制御盤１２の構成
制御盤１２には、電源部４６、出力制御部４７、制御部４８、電気錠制御部４９、データバッファ５０、メモリ５１、伝送ＩＦ部５２及び警報音発生部５３が設けられている。電源部４６は、ＩＤ読取装置１４の電力増幅部４３で使用する電源電圧を出力する。出力制御部４７は、電源部４６からの電源電圧のレベルを制御して電力増幅部４３の出力を制御する。データバッファ５０にはカード１３を利用する全ての利用者に割り当てられた識別情報がそれぞれ記憶されている。メモリ５１には、複数の制御盤１２の夫々を識別するためのＩＤコードが記憶されている。伝送ＩＦ部５２は制御部４８と監視装置１６とを接続するものである。
【００２５】
制御部４８は、Ｉ／Ｏ変換部３９からのデータを取り込み、そのデータが識別情報であると判断すると、データバッファ５０を参照し、その識別情報と同一の情報が登録されているか否かを判定する。この場合、同一の情報が登録されていると判断すると、内蔵されたタイマ（図示略）をスタートさせて一定時間カウントを行なうとともにドア１１の電気錠２０を制御する指令を電気錠制御部４９に与える。
【００２６】
電気錠制御部４９は、制御部４８からの制御指令に従って電気錠２０のソレノイド２２に通電を行ない、ドアロックを解錠状態にする。ドアロックを解錠状態にした直後、電気錠２０のマイクロスイッチ２３の設定状態を読み込み、ドアロックの施錠状態又は解錠状態を確認する。この確認後、電気錠２０のリードスイッチ２１の接点２１ａの状態を読み込み、その接点２１ａが一定時間以内に開状態になるか否かを判定し、一定時間以内に開状態にならないと判断すると電気錠２０のソレノイド２２に対して通電を行ない、ドアロックを施錠状態にする。
【００２７】
一方、一定時間以内にリードスイッチ２１の接点２１ａが開状態になったと判断すると、その旨を制御部４８に知らせる、制御部４８は一定時間以内にリードスイッチ２１の接点２１ａが開状態になった旨の知らせを受けると、入室情報とＩＤコードとを監視装置１６へ送る。その後、タイマをリセットする。タイマをリセットした後、再びリードスイッチ２１の接点２１ａの状態を読み込む指令を電気錠制御部４９に与える。
【００２８】
電気錠制御部４９は、この指令を受けると、リードスイッチ２１の接点２１ａの状態を読み込み、その接点２１ａが閉状態になったと判断すると電気錠２０のソレノイド２２の通電を行ない、ドアロックを施錠状態にする。これに対して、リードスイッチ２１の接点２１ａが閉状態になっていないと判断すると、その旨を制御部４８に知らせる。制御部４８は、リードスイッチ２１の接点２１ａが閉状態になっていない旨の知らせを受けると、警報音発生部５３を制御して警報音を発生させるとともにその旨を知らせる情報を監視装置１６へ送る。
【００２９】
Ｃ．制御盤１２の動作
図５は制御盤１２の動作を示すフローチャートである。
まず、ステップＳ１０で識別情報を受信したか否かを判定する。この判定において、識別情報を受信していないと判断するとこのステップを繰り返し、識別情報を受信したと判断するとステップＳ１２に進み、その識別情報が登録済みのものであるか否かを判定する。この判定において、登録済みのものでないと判断すると後述するステップＳ３２に進む。こてに対して、登録済みのものであると判断するとステップＳ１４でタイマをスタートさせる。タイマをスタートさせた後、ステップＳ１６で電気錠２０を解錠状態にする。
【００３０】
電気錠２０の解錠後、ステップＳ１８でドア１１が開けられたか否かを判定する。この判定において、ドア１１が開けられていないと判断すると、ステップＳ２０でタイマをスタートさせたときから一定時間が経過したか否かを判定し、一定時間が経過していないと判断するとステップＳ１８に戻り、一定時間が経過したと判断するとステップＳ３０に進む。この場合、一定時間以内にドア１１が開けられたと判断すると、ステップＳ２２で入室情報を監視装置１６に送り、次いでステップＳ２４でタイマをリセットする。
【００３１】
タイマをリセットした後、ステップＳ２６でドア１１が閉められたか否かを判定し、ドア１１が閉められたと判断するとステップＳ１０に戻り、閉められていないと判断するとステップＳ２８で警報を出力するとともにその旨を監視装置１６に知らせる。一方、一定時間以内にドア１１が開かれなかったと判断すると、ステップＳ３０で電気錠２０を施錠状態にする。次いで、ステップＳ３２で通過情報を監視装置１６へ送った後、ステップＳ３４でタイマをリセットしてステップＳ１０に戻る。
【００３２】
このように、この実施の形態１では、ＩＤ読取装置１４が非接触式のカード１３からの送信電波を受信した時点でドアロックを解錠し、更にその時点から一定時間以内にドア１１が開けられるか否かを判定し、一定時間以内で開けられないと判断するとドアロックを施錠するとともに通過情報を監視装置１６に送り、一定時間以内で開けられたと判断すると入室情報を監視装置１６に送る。
したがって、カード１３を所持した者を検知した時点から一定時間以内にドア１１が開かれれば入室情報が出力され、一定時間以内にドア１１が開かれなければドアロックが施錠されて通過情報が出力されることから、通過したのか入室したのかを正確に判別することができる。更に通過履歴がとれるので、呼び出したい者の所在を確認することができ、また下見等の徘徊の見当もつくことから内部犯罪等を未然に防止することが可能になる。
【００３３】
(II)実施の形態２
上述した実施の形態１の入出退管理システム１０では、カード１３を所持した者を検知した時点でドアロックを解錠するようにしたが、この実施の形態２では図８に示すようにＩＤ読取装置１４による検知エリアＡ１の他に、この検知エリアＡ１よりも小さい検知エリアとしたフットスイッチ６１を有し、このフットスイッチ６１にて検知されることではじめてドアロックを解錠するようにしたものである。なお、フットスイッチ６１は、一定以上の圧力を加えることで接点がオン状態になるものである。
【００３４】
図６は、この実施の形態２の入出退管理システム６０の全体構成を示すブロック図である。フットスイッチ６１はドア１１の近傍に設置されている。このフットスイッチ６１を踏み込んだときにその接点がオン状態となり、その状態が制御盤１２に読み込まれる。制御盤１２は時分割でＩＤ読取装置１４とフットスイッチ６１とを交互に切り替えてカード１３を所持した者の検知を行なう。
【００３５】
図７は、この実施の形態２の制御盤１２の動作を示すフローチャートである。
まず、ステップＳ５０で検出エリアＡ１にて識別情報を受信したか否かを判定する。この判定において、検出エリアＡ１にて識別情報を受信していないと判断するとこのステップを繰り返し、検出エリアＡ１にて識別情報を受信したと判断するとステップＳ５２に進み、その識別情報が登録済みのものであるか否かを判定する。この判定において、登録済みでないと判断すると後述するステップＳ７６に進み、登録済みであると判断するとステップＳ５４でタイマをスタートさせる。
【００３６】
登録済みであると判断してタイマをスタートさせた後、ステップＳ５６でフットスイッチ６１がオンであるか否かを判定する。この判定において、フットスイッチ６１がオンになっていないと判断するとステップＳ５８に進み、タイマをスタートさせてからＴ２時間が経過したか否かを判定する。この判定において、Ｔ２時間を経過していないと判断するとステップＳ５６に戻り、Ｔ２時間を経過したと判断すると後述するステップＳ７６に進む。
【００３７】
Ｔ２時間以内にフットスイッチ６１がオンになったと判断した場合、ステップＳ６０で電気錠２０を解錠状態にする。次いで、ステップＳ６２でドア１１が開けられたか否かを判定する。この判定において、ドア１１が開けられていないと判断すると、ステップＳ６４でタイマをスタートさせたときからＴ１時間（＞Ｔ２時間）が経過したか否かを判定し、Ｔ１時間が経過していないと判断するとステップＳ６２に戻り、Ｔ１時間が経過したと判断するとステップＳ７４に進む。
【００３８】
Ｔ１時間以内にドア１１が開けられたと判断した場合、ステップＳ６６で入室情報を監視装置１６に送り、そしてステップＳ６８でタイマをリセットする。タイマをリセットした後、ステップＳ７０でドア１１が閉められたか否かを判定し、ドア１１が閉められたと判断するとステップＳ５０に戻り、閉められていないと判断するとステップＳ７２で警報を出力するとともにその旨を監視装置１６に知らせる。
一方、上記ステップＳ６２の判定において、Ｔ１時間以内にドア１１が開かれなかったと判断するとステップＳ７４で電気錠２０を施錠状態にし、次いでステップＳ７６で通過情報を監視装置１６に送り、そしてステップＳ７８でタイマをリセットしてステップＳ５０に戻る。
【００３９】
このように、この実施の形態２では、カード１３を所持した者を検知エリアＡ１にて検知してからＴ２時間以内でフットスイッチ６１がオンになると、その時点でドアロックを解錠する。更にＴ２時間よりも長いＴ１時間以内にドア１１が開けられれば入室情報を監視装置１７に送り、Ｔ１時間以内にドア１１が開けられなければドアロックを施錠するとともに通過情報を監視装置１７へ送る。また、カード１３を所持した者を検知エリアＡ１にて検知してからＴ２時間以内にフットスイッチ６１がオンにならなければ、単に通過したものとして通過情報を監視装置１７へ送る。
【００４０】
したがって、検知エリアＡ１にてカード１３を所持した者を検知しても、その時点ではドアロックが解錠されず、ドア１１の近傍に設置したフットスイッチ６１がオンになってはじめてドアロックが解錠されるので、本当に入室する者と通過する者の識別精度が向上するとともに、ドアロックが解錠されている期間を短くすることができるからセキュリティ性が高まる。
また、ドア１１の近傍に設置したフットスイッチ６１がオンになってはじめてドアロックが解錠されることから、図９に示すようにＩＤ読取装置１４を部屋の内側に設置しても、ドア１１近傍を通過しない限りドアロックが解錠されることがない。
【００４１】
なお、上記実施の形態２では、ドア１１の近傍での検知にフットスイッチ６１を用いたが、これ以外に人体から放射される遠赤外線を検出する遠赤外線検出器を用いても良いし、また図１０に示すようにＩＤ読取装置１４よりも電界強度の弱い電波を送信するＩＤ読取装置６３を用いても良い。この図に示すＡ２（＜Ａ１）がＩＤ読取装置６３の検出エリアである。遠赤外線検出器の場合も同様に検出エリアＡ２（＜Ａ１）である。
【００４２】
【発明の効果】
請求項１の発明の入出退管理システムによれば、識別情報送信手段（カード）から送信された識別情報を受信した時にドアロックを解錠し、更にその時点から一定時間以内にドアが開けられると入室情報を出力し、ドアが開けられなければドアロックを施錠するとともに通過情報を出力するので、通過したのか入室したのかを正確に判別することができる。
【００４３】
また、受信した識別情報が予め登録されていなければ通過情報のみ出力するので、入室を制限されている者や用の無い者の徘徊を確認でき、これによって内部犯罪等を未然に防止することができる。
【００４４】
請求項２の発明の入出退管理システムによれば、通過の履歴をとるとともに履歴の参照及び検索ができるので、呼び出したい者の所在を確認することができるとともに下見等の徘徊も確認できることから内部犯罪等を未然に防止することができる。
【００４５】
請求項３の発明の入出退管理システムによれば、識別情報受信手段（ＩＤ読取装置）にて識別情報を受信し、且つドア近傍に設けた人体検出手段にて人体を検知した時点でドアロックを解錠し、更に識別情報を受信した時点から一定時間以内でドアが開けられなければドアロックを施錠するとともに通過情報を出力し、一定時間以内でドアが開けられれば入室情報を出力するので、本当に入室する者と通過する者の識別精度が向上するとともにドアロックが解錠されている期間が短いことからセキュリティ性が高まる。
【図面の簡単な説明】
【図１】本発明に係る入出退管理システムの実施の形態１の全体構成を示すブロック図である。
【図２】同実施の形態１の入出退管理システムの詳細な構成を示すブロック図である。
【図３】同実施の形態１の入出退管理システムの電気錠の概略構成を示す図である。
【図４】同実施の形態１の入出退管理システムの電気錠の電気的な構成を示す回路図である。
【図５】同実施の形態１の入出退管理システムの制御盤の動作を示すフローチャートである。
【図６】本発明に係る入出退管理システムの実施の形態２の全体構成を示すブロック図である。
【図７】同実施の形態２の入出退管理システムの制御盤の動作を示すフローチャートである。
【図８】同実施の形態２の入出退管理システムを説明するための図である。
【図９】同実施の形態２の入出退管理システムを利点を説明するための図である。
【図１０】同実施の形態２の入出退管理システムを説明するための図である。
【符号の説明】
１０  入出退管理システム
１１  ドア
１２  制御盤
１３  カード
１４  ＩＤ読取装置
１５  伝送路
１６  監視装置
２０  電気錠
２１  リードスイッチ
２３  マイクロスイッチ
６０  入出退管理システム
６１  フットスイッチ
【図１】
0003907078.tif 000002
【図２】
0003907078.tif 000003
【図３】
0003907078.tif 000004
【図４】
0003907078.tif 000005
【図５】
0003907078.tif 000006
【図６】
0003907078.tif 000007
【図７】
0003907078.tif 000008
【図８】
0003907078.tif 000009
【図９】
0003907078.tif 000010
【図１０】
0003907078.tif 000011